(57)【要約】【課題】  車両運転者が動力状態を把握し易い車両用表示装置を提供する。【解決手段】  車両用表示装置１００は、表示パネル１１と、動力状態を表すインジケータ画像２を表示パネル１１に表示させる制御手段２０とを備える。インジケータ画像２は、動力状態に応じて伸縮するバーグラフ表示部２ｄと、動力状態の第一の状態を表示する第一の範囲表示部２ｂと、動力状態の第二の状態を表示する第二の範囲表示部２ｃとを有する。制御手段２０は、動力状態が第一の状態であるときに、第一の文字表示部２ｈを表示させ、動力状態が第二の状態であるときに、第二の文字表示部２ｋを表示させる。【選択図】  図３
2018177047.tif 000002
【特許請求の範囲】
【請求項１】
表示パネルと、動力状態を表すインジケータ画像を前記表示パネルに表示させる制御手段と、を備えた車両用表示装置であって、
前記インジケータ画像は、前記動力状態に応じて伸縮するバーグラフ表示部と、前記動力状態の第一の状態を表示する第一の範囲表示部と、前記動力状態の第二の状態を表示する第二の範囲表示部と、を有すると共に、
前記制御手段は、前記動力状態が前記第一の状態であるときに第一の文字表示部を前記表示パネルに表示させ、前記動力状態が前記第二の状態であるときに第二の文字表示部を前記表示パネルに表示させることを特徴とする車両用表示装置。
【請求項２】
前記制御手段は、前記第一の範囲表示部と同色で前記第一の文字表示部を表示させ、前記第二の範囲表示部と同色で前記第二の文字表示部を表示させることを特徴とする請求項１に記載の車両用表示装置。
【請求項３】
前記バーグラフ表示部は、前記動力状態が前記第一の状態であるとき及び前記第二の状態であるときに表示される第一のバーグラフ部と、前記動力状態が前記第二の状態であるときに表示される第二のバーグラフ部と、を有することを特徴とする請求項１に記載の車両用表示装置。
【請求項４】
前記表示手段は、前記第一の範囲表示部と同色で前記第一のバーグラフ部を表示させ、前記第二の範囲表示部と同色で前記第二のバーグラフ部を表示させることを特徴とする請求項３に記載の車両用表示装置。
【請求項５】
表示パネルと、動力状態を表すインジケータ画像を前記表示パネルに表示させる制御手段と、を備えた車両用表示装置であって、
前記インジケータ画像は、前記動力状態に応じて伸縮するバーグラフ表示部と、前記動力状態の第一の状態を表示する第一の範囲表示部と、前記動力状態の第二の状態を表示する第二の範囲表示部と、前記動力状態の第三の状態を表示する第三の範囲表示部と、を有すると共に、
前記制御手段は、前記動力状態が前記第一の状態であるときに第一の文字表示部を前記表示パネルに表示させ、前記動力状態が前記第二の状態であるときに第二の文字表示部を前記表示パネルに表示させ、前記動力状態が前記第三の状態であるときに第三の文字表示部を前記表示パネルに表示させることを特徴とする車両用表示装置。
【請求項６】
前記制御手段は、前記第一の範囲表示部と同色で前記第一の文字表示部を表示させ、前記第二の範囲表示部と同色で前記第二の文字表示部を表示させ、前記第三の範囲表示部と同色で前記第三の文字表示部を表示させることを特徴とする請求項５に記載の車両用表示装置。
【請求項７】
前記バーグラフ表示部は、前記動力状態が前記第一の状態であるとき及び前記第二の状態であるときに表示される第一のバーグラフ部と、前記動力状態が前記第二の状態であるときに表示される第二のバーグラフ部と、前記動力状態が前記第三の状態であるときに表示される第三のバーグラフ部と、を有することを特徴とする請求項５に記載の車両用表示装置。
【請求項８】
前記表示手段は、前記第一の範囲表示部と同色で前記第一のバーグラフ部を表示させ、前記第二の範囲表示部と同色で前記第二のバーグラフ部を表示させ、前記第三の範囲表示部と同色で前記第三のバーグラフ部を表示させることを特徴とする請求項７に記載の車両用表示装置。
【発明の詳細な説明】
【技術分野】
【０００１】
本発明は、ハイブリット車等の動力状態を表示する車両用表示装置に関するものである。
【背景技術】
【０００２】
従来より、内燃機関と電動機を併用するハイブリット車の動力状態を表示する車両用表示装置が種々提案されており、例えば特許文献１に開示されている。斯かる車両用表示装置は、「ＰＯＷＥＲ」，「ＥＣＯ」，「ＣＨＡＲＧＥ」等の動力状態を表す文字を含む指標部を指針にて指示することによって、動力状態を表示するものである。
【先行技術文献】
【特許文献】
【０００３】
【特許文献１】特開２００８−１１４７９１号公報
【発明の概要】
【発明が解決しようとする課題】
【０００４】
しかしながら、上述した車両用表示装置では、指針が指示した「ＰＯＷＥＲ」，「ＥＣＯ」，「ＣＨＡＲＧＥ」等の動力状態を表す文字を対比判読しなければならないため、車両運転者は、動力状態を表す文字を見ただけでは、動力状態を把握することができないという問題を有していた。
本発明は、この問題に鑑みなされたものであり、車両運転者が動力状態を把握し易い車両用表示装置を提供するものである。
【課題を解決するための手段】
【０００５】
本発明は、表示パネル１１と、動力状態を表すインジケータ画像２を前記表示パネル１１に表示させる制御手段２０と、を備えた車両用表示装置１００であって、前記インジケータ画像２は、前記動力状態に応じて伸縮するバーグラフ表示部２ｄと、前記動力状態の第一の状態を表示する第一の範囲表示部２ｂと、前記動力状態の第二の状態を表示する第二の範囲表示部２ｃと、を有すると共に、前記制御手段２０は、前記動力状態が前記第一の状態であるときに第一の文字表示部２ｈを前記表示パネル１１に表示させ、前記動力状態が前記第二の状態であるときに第二の文字表示部２ｋを前記表示パネル１１に表示させることを特徴とする。
【０００６】
また、本発明は、前記制御手段２０は、前記第一の範囲表示部２ｂと同色で前記第一の文字表示部２ｈを表示させ、前記第二の範囲表示部２ｃと同色で前記第二の文字表示部２ｋを表示させることを特徴とする。
【０００７】
また、本発明は、前記バーグラフ表示部２ｄは、前記動力状態が前記第一の状態であるとき及び前記第二の状態であるときに表示される第一のバーグラフ部２ｄ２と、前記動力状態が前記第二の状態であるときに表示される第二のバーグラフ部２ｄ３と、を有することを特徴とする。
【０００８】
また、本発明は、前記表示手段２０は、前記第一の範囲表示部２ｂと同色で前記第一のバーグラフ部２ｄ２を表示させ、前記第二の範囲表示部２ｃと同色で前記第二のバーグラフ部２ｄ３を表示させることを特徴とする。
【０００９】
また、本発明は、表示パネル１１と、動力状態を表すインジケータ画像２を前記表示パネル１１に表示させる制御手段２０と、を備えた車両用表示装置１００であって、前記インジケータ画像２は、前記動力状態に応じて伸縮するバーグラフ表示部２ｄと、前記動力状態の第一の状態を表示する第一の範囲表示部２ｂと、前記動力状態の第二の状態を表示する第二の範囲表示部２ｃと、前記動力状態の第三の状態を表示する第三の範囲表示部２ａと、を有すると共に、前記制御手段２０は、前記動力状態が前記第一の状態であるときに第一の文字表示部２ｈを前記表示パネル１１に表示させ、前記動力状態が前記第二の状態であるときに第二の文字表示部２ｋを前記表示パネル１１に表示させ、前記動力状態が前記第三の状態であるときに第三の文字表示部２ｇを前記表示パネル１１に表示させることを特徴とする。
【００１０】
また、本発明は、前記制御手段２０は、前記第一の範囲表示部２ｂと同色で前記第一の文字表示部２ｈを表示させ、前記第二の範囲表示部２ｃと同色で前記第二の文字表示部２ｋを表示させ、前記第三の範囲表示部２ａと同色で前記第三の文字表示部２ｇを表示させることを特徴とする。
【００１１】
また、本発明は、前記バーグラフ表示部２ｄは、前記動力状態が前記第一の状態であるとき及び前記第二の状態であるときに表示される第一のバーグラフ部２ｄ２と、前記動力状態が前記第二の状態であるときに表示される第二のバーグラフ部２ｄ３と、前記動力状態が前記第三の状態であるときに表示される第三のバーグラフ部２ｄ１と、を有することを特徴とする。
【００１２】
また、本発明は、前記表示手段２０は、前記第一の範囲表示部２ｂと同色で前記第一のバーグラフ部２ｄ２を表示させ、前記第二の範囲表示部２ｃと同色で前記第二のバーグラフ部２ｄ３を表示させ、前記第三の範囲表示部２ａと同色で前記第三のバーグラフ部２ｄ１を表示させることを特徴とする。
【発明の効果】
【００１３】
車両運転者は、文字表示部を見ただけで、動力状態を把握することができる。
【図面の簡単な説明】
【００１４】
【図１】本発明の実施形態の電気的構成を示すブロック図。
【図２】同上実施形態を示す画面説明図。
【図３】同上実施形態を示す画面説明図。
【図４】同上実施形態を示す画面説明図。
【図５】比較例を示す画面説明図。
【発明を実施するための形態】
【００１５】
以下、添付図面に基づいて、本発明の一実施形態を説明する。車両用表示装置１００は、液晶表示器１０と、制御手段２０とを備えている。
【００１６】
液晶表示器１０は、液晶表示パネル１１と、この液晶表示パネル１１を照明する複数の発光素子１２とを有している。液晶表示パネル１１は、ＴＦＴ（Thin Film Transistor）型液晶表示パネルからなるものであり、発光ダイオード等の発光素子１２によって透過照明される。
【００１７】
制御手段２０は、マイコン２１及び表示コントローラ２２からなる。マイコン２１は、ＣＰＵ２１ａ，不揮発性メモリ２１ｂ，揮発性メモリ２１ｃを有している。不揮発性メモリ２１ｂは、例えばフラッシュメモリからなるものであり、揮発性メモリ２１ｃは、例えばＳＤＲＡＭ（Synchronous Dynamic Random Access Memory）からなるものである。
【００１８】
マイコン２１は、ＣＡＮ（Controller Area Network）２００を介して、種々のデータを取得し、不揮発性メモリ２１ｂに格納されている所定のプログラムに基づいて、表示コントローラ２２を制御すると共に、発光素子１２を駆動する。表示コントローラ２２は、マイコン２１から出力された制御信号に基づいて、液晶表示パネル１１に画像を表示させる。
【００１９】
図２乃至図４は、液晶表示パネル１１の画面１１ａを示すものである。液晶表示パネル１１の画面１１ａには、車両速度画像１，エコインジケータ画像２，バッテリー残量インジケータ画像３，矢印画像４が表示される。
【００２０】
車両速度画像１は、速度数値１ａと、「ｋｍ／ｈ」という速度単位１ｂとからなる。エコインジケータ画像２は、チャージ領域表示部２ａ，エコ領域表示部２ｂ，パワー領域表示部２ｃを有しており、更に、エコインジケータ画像２として、バーグラフ表示部２ｄ，２ｅ，２ｆ，文字表示部２ｇ，２ｈ，２ｋが選択的に表示される。
【００２１】
チャージ領域表示部２ａは、Ｌ字形状の図形からなり、水色画像にて表示される。エコ領域表示部２ｂは、Ｌ字形状の図形からなり、チャージ領域表示部２ａの右側に表示される。エコ領域表示部２ｂは、青色画像にて表示される。パワー領域表示部２ｃは、コ字形状の図形からなり、エコ領域表示部２ｂの右側に表示される。パワー領域表示部２ｃは、桃色画像にて表示される。
【００２２】
バーグラフ表示部２ｄは、多数の矩形表示部からなるバーグラフである。バーグラフ表示部２ｄは、エコ領域表示部２ｂの左端部２ｂ１を基点として、動力状態に応じて伸縮するように表示される。
【００２３】
バーグラフ表示部２ｄは、バーグラフ部２ｄ１，２ｄ２，２ｄ３を有している。バーグラフ部２ｄ１は、動力状態がチャージ状態であるときに、チャージ領域表示部２ａの近傍に表示される。バーグラフ部２ｄ１は、チャージ領域表示部２ａと同色の水色画像にて表示される。
【００２４】
バーグラフ部２ｄ２は、動力状態がエコ状態であるとき及びパワー状態であるときに、エコ領域表示部２ｂの近傍に表示される。バーグラフ部２ｄ２は、エコ領域表示部２ｂと同色の青色画像にて表示される。バーグラフ部２ｄ３は、動力状態がパワー状態であるときに、パワー領域表示部２ｃの近傍に表示される。バーグラフ部２ｄ３は、パワー領域表示部２ｃと同色の桃色画像にて表示される。
【００２５】
文字表示部２ｇは、動力状態がチャージ状態であることを表す「ＣＨＡＲＧＥ」という文字からなり、車両速度画像１の近傍に表示される。文字表示部２ｈは、動力状態がエコ状態であることを表す「ＥＣＯ」という文字からなり、車両速度画像１の近傍に表示される。文字表示部２ｋは、動力状態がパワー状態であることを表す「ＰＯＷＥＲ」という文字からなり、車両速度画像１の近傍に表示される。
【００２６】
バッテリー残量インジケータ画像３は、車両に搭載されたバッテリーの残容量を示すものである。バッテリー残量インジケータ画像３は、電池を模した図形と、残容量を表した数値からなる。矢印画像４は、チャージ領域表示部２ａからバッテリー残量インジケータ画像３に向かう矢印形状の図形からなり、バッテリーに充電している状態を示すものである。矢印画像４は、動力状態がチャージ状態であるときに表示され、エコ状態及びパワー状態では表示されない。
【００２７】
図２は、動力状態がエコ状態であるときの画面１１ａを示している。動力状態がエコ状態であるときは、エコ状態であることを表す「ＥＣＯ」という文字からなる文字表示部２ｈが表示され、文字表示部２ｇ，２ｋは表示されない。
【００２８】
図３は、動力状態がパワー状態であるときの画面１１ａを示している。動力状態がパワー状態であるときは、パワー状態であることを表す「ＰＯＷＥＲ」という文字からなる文字表示部２ｋが表示され、文字表示部２ｇ，２ｈは表示されない。
【００２９】
図４は、動力状態がチャージ状態であるときの画面１１ａを示している。動力状態がチャージ状態であるときは、チャージ状態であることを表す「ＣＨＡＲＧＥ」という文字からなる文字表示部２ｇが表示され、文字表示部２ｈ，２ｋは表示されない。
【００３０】
図５は、比較例を示す図である。チャージ領域表示部２ａの近傍には、「ＣＨＡＲＧＥ」という文字からなる文字表示部２ｍが表示される。エコ領域表示部２ｂの近傍には、「ＥＣＯ」という文字からなる文字表示部２ｎが表示される。パワー領域表示部２ｃの近傍には、「ＰＯＷＥＲ」という文字からなる文字表示部２ｐが表示される。
【００３１】
比較例では、バーグラフ表示部２ｄと、文字表示部２ｍ，２ｎ，２ｐとを対比判読して、動力状態を把握するので、文字表示部２ｍ，２ｎ，２ｐを見ただけでは、動力状態を把握することはできない。例えば、図５に示すように、パワー状態であるときは、バーグラフ表示部２ｄと、文字表示部２ｐとを対比判読して、パワー状態であることを把握することになるので、文字表示部２ｐを見ただけでは、動力状態を把握することはできない。
【００３２】
本実施形態は、液晶表示パネル（表示パネル）１１と、動力状態を表すインジケータ画像２を液晶表示パネル（表示パネル）１１に表示させる制御手段２０と、を備えた車両用表示装置１００であって、インジケータ画像２は、前記動力状態に応じて伸縮するバーグラフ表示部２ｄと、前記動力状態のエコ状態（第一の状態）を表示するエコ領域表示部（第一の範囲表示部）２ｂと、前記動力状態のパワー状態（第二の状態）を表示するパワー領域表示部（第二の範囲表示部）２ｃと、前記動力状態のチャージ状態（第三の状態）を表示するチャージ領域表示部（第三の範囲表示部）２ａと、を有すると共に、制御手段２０は、前記動力状態がエコ状態（第一の状態）であるときに文字表示部（第一の文字表示部）２ｈを液晶表示パネル（表示パネル）１１に表示させ、前記動力状態がパワー状態（第二の状態）であるときに文字表示部（第二の文字表示部）２ｋを液晶表示パネル（表示パネル）１１に表示させ、前記動力状態がチャージ状態（第三の状態）であるときに文字表示部（第三の文字表示部）２ｇを液晶表示パネル（表示パネル）１１に表示させるものであり、車両運転者は、文字表示部２ｇ，２ｈ，２ｋを見ただけで、動力状態を把握することができる。
【００３３】
なお、本発明は、本実施形態に限定されるものではなく、種々の変形が可能であり、例えば、表示パネルは、有機ＥＬ（Electro Luminescence）表示パネルであっても良い。
【符号の説明】
【００３４】
２      インジケータ画像
２ａ    チャージ領域表示部（第三の範囲表示部）
２ｂ    エコ領域表示部（第一の範囲表示部）
２ｃ    パワー領域表示部（第二の範囲表示部）
２ｄ    バーグラフ表示部
２ｄ１  バーグラフ部（第三のバーグラフ部）
２ｄ２  バーグラフ部（第一のバーグラフ部）
２ｄ３  バーグラフ部（第二のバーグラフ部）
２ｇ    文字表示部（第三の文字表示部）
２ｈ    文字表示部（第一の文字表示部）
２ｋ    文字表示部（第二の文字表示部）
１１    液晶表示パネル（表示パネル）
２０    制御手段
１００    車両用表示装置
【図１】
2018177047.tif 000003
【図２】
2018177047.tif 000004
【図３】
2018177047.tif 000005
【図４】
2018177047.tif 000006
【図５】
2018177047.tif 000007